(57)【特許請求の範囲】
【請求項１】
穴を壁部に有する中空状筐体と、
前記筐体内に配置されて、鋭利な先端部を有し、その鋭利な先端部が使用のために前記筐体から剥き出しとなる伸長位置と、その鋭利な先端部との不注意な接触を防止するために前記鋭利な先端部が前記筐体内に引っ込められる格納位置との間を移動操作可能な針と、
前記針を前記格納位置方向へ付勢するための付勢手段と、
前記筐体内に配置されて前方位置と後方位置との間を軸線方向へ移動可能な筒状本体を有し、前記針が取り付けられた針キャリアと、
前記針と流体連通するように前記針キャリアに接続された流体誘導手段と、
前記針キャリアから径方向外方へ突出した径方向変形可能な可撓性部材と前記可撓性部材上に位置するように前記筐体の前記穴内に収容されたアクチュエーターとを有し、前記付勢手段による付勢力に抗して前記針を前記伸長位置に解放自在に維持させるための針保持手段と、
前記針キャリアから径方向外方へ突出した第一のストッパー手段と、
前記筐体の前記壁から径方向内方へ突出するよう設けられて、前記針キャリアが前記後方位置に移動させられた後に前記第一のストッパー手段と係合して前記針キャリアの軸線方向後方への移動を阻止するための第二のストッパー手段と、
前記針キャリアに設けられて、前記針キャリアが前記前方位置から前記後方位置へ移動させられるに従って径方向へ変位する第三のストッパー手段と、
前記筐体に設けられて、前記針キャリアが前記後方位置に移動させられた後に前記第三のストッパー手段と係合して前記針キャリアの軸線方向前方への移動を阻止して前記針の再突出を阻止するための第四のストッパー手段を有し、
前記アクチュエーターが、前記筐体の外部から直接的に手動操作可能な面を有し、
前記アクチュエーターを押圧すると前記針が解放されて、その結果、前記付勢手段が前記針を前記格納位置へ変位させ、
前記付勢手段が、前記針キャリアが前記後方位置へ引っ込まれる過程において前記第三のストッパー手段が径方向へ変位することを実現させるのに十分な付勢力を作用させるよう設計されている医療装置。
【請求項２】
前記針が引っ込められた時に前記流体誘導手段が後方へ変位するようになっている、請求項１に記載の医療装置。
【請求項３】
前記筐体に接続された一対の略平坦な翼部を有し、前記翼部が前記筐体から径方向外方へ突出し、前記筐体の軸線を中心として径方向へ変位自在となっている、請求項１に記載の医療装置。
【請求項４】
前記翼部の少なくとも一部が前記筐体の前記穴から前方に位置している、請求項３に記載の医療装置。
【請求項５】
前記針キャリアが、前記筐体における前記前方位置に配置されている、請求項１に記載の医療装置。
【請求項６】
前記筐体の後端部が、前記針キャリアの前記筒状本体よりも大きく且つ前記第一のストッパー手段よりも小さい開口を有し、前記後方位置において、前記針キャリアが前記開口を介して後方へ突出している、請求項１に記載の医療装置。
【請求項７】
前記針キャリアから離れた前記流体誘導手段の先端に接続された第二の針を有している、請求項１に記載の医療装置。
【発明の詳細な説明】
【０００１】
【発明の概要】
本発明は、流体を患者にあるいは患者から移送するための流体移送装置に関し、より詳細には、格納可能な針を有する流体移送装置に関する。
【０００２】
【従来の技術】
様々な種類の医療用装置が、診断または治療の目的で患者の皮膚に穿孔を行うために針を利用する。そのような流体移送装置の１つとして、患者の血管または他の部分に穿孔を行って、流体、たとえば血液を患者から採取できるようにするための針を含む流体回収装置がある。
【０００３】
針が患者に挿入されている場合、血液または他の流体は針を通して、たとえば真空の回収チューブに引き込まれる。患者から針が引き抜かれた後に、このような針を担持した医療装置を操作することによって、様々な病原体、最も注目すべきはヒト免疫不全ウィルス（ＨＩＶ）の感染が起こることがあり、医療従事者や場合によっては第三者を、不用意に針を突き刺したり、針で引っ掻くなどにより、重篤または致命的な病気にさらす危険性がある。
【０００４】
針担持医療装置の使用後に、針の上や内部に残っているであろう少量の汚染された流体または血液との接触を回避するために、針を筐体内に格納する簡単に使用できる特徴を有することが望ましい。また、針が筐体内部から誤ってあるいは意図的に、従事者によって再伸長されにくくすることが望ましい。
【０００５】
したがって、使用後に針を格納するだけでなく、その後に筐体内の格納位置に針を捕捉または確実に保持する流体移送装置が必要とされている。
【０００６】
【発明が解決しようとする課題】
上述のことに鑑みて、本発明は、中空の筐体と、鋭利な先端部を有する針とを有する医療装置を提供することを目的とする。
【０００７】
【発明の要約】
針は、伸長位置と格納位置との間で作動可能である。鋭利な先端部は、伸長位置においては筐体から前方に突出し、格納位置においては筐体内部に封入される。偏倚要素は針を格納位置の方に偏倚させる。針保持具は針を伸長位置に解放可能に保持する。アクチュエータは、偏倚要素が針を格納位置に向けて後方に推進するように、針保持具が針を解放するのを始動させる。針に接続された後方止め具は、針が格納された後の連続的な後方変位に対して、針を保持するように作動可能である。針に接続された前方止め具は、針が格納された後の連続的な前方変位に対して、針を保持するように作動可能である。
【０００８】
【発明を実施するための形態】
以下の本発明に従う好ましい実施形態の説明は、別項で説明する添付の図面と組み合わせて読まれることにより、その理解が深められるであろう。
【０００９】
図１〜４を全体的に参照し、図１を特に参照すると、流体移送装置１０が示されている。装置１０は、流体容器８０を受容するためのチューブホルダ２０を含んでいる。装置は、前方の鋭利な先端部３２と後方の鋭利な先端部３４とを有する両端針３０を含んでいる。前方先端部３２は、流体の引き抜きまたは注射のために、患者に挿入することができる。後方先端部は、流体容器８０内の封止部の穿孔を行うように動作可能である。針３０は使用後、前方先端部３２を封入するためにチューブホルダ２０内に格納可能である。
【００１０】
図１において、流体移送装置１０は、真空チューブ８０などの流体回収容器を受容するように構成された後方端部２４を有する中空の筒状チューブホルダ２０を有している。流体回収装置８０は、通常、ガラスまたはプラスチック製の容器８１と、容器８０上に貫通可能な端部を形成する弾性止め具８２とを含んでいる。チューブホルダ２０は、真空チューブ８０の挿入および取り外しを含む流体回収装置１０の使用時に、医療従事者が指を置くための好都合な場所を提供する周囲フランジ２２をさらに含んでいる。筐体２０の前方部分２６は、好ましくは後述する針アセンブリ４０と螺合するように内側にねじ切りされた部分２９を有する、縮径部分に向けて先細にされている。
【００１１】
針アセンブリ４０は、流体の回収のために患者に穿孔を行うための前方針端部３２を有する両端針３０を含み、流体を移送するように構成された後方端部、たとえば、回収容器８０がチューブホルダ２０の後方端部２４に挿入されるときに、該容器８０の貫通可能な端部８２を貫通するための針端部３４などを有する。針アセンブリ４０は、略円筒形または樽状の筐体４１を含み、該筐体４１内に両端針３０が格納可能に取り付けられる。針アセンブリ４０は、好ましくは、チューブホルダ２０の前方端部にある対応する雌ねじ２９に係合する雄ねじ２８を含む。
【００１２】
両端針３０は、針アセンブリ４０のバレル４１内に摺動可能に配置された針チューブ６０のような針キャリアに固定的に取り付けられる。両端針３０は、接合ポート６１を介して適用されてもよく、たとえば、摩擦嵌合や接着剤による接合、あるいは挿入成形によって、針チューブ６０に固定されてもよい。
【００１３】
本例においては、針３０はチューブ６０に接合される。可撓性のゴムまたはプラスチックブート６８は、両端針３０の後方針端部３４を覆い、使用前に針の端部３４を清潔かつ無菌状態に保っておくために、また回収チューブ８０が定位置に無いときに針の端部３４から体液が流出するのを止めるために、針チューブ６０の後方端部に固着される。
【００１４】
図２に示される図１の実施形態の拡大部分に見られるように、コイルバネ３８は圧縮されて、針アセンブリ４０のバレル４１の前方端部、および針チューブ６０の穴６６の底部に当接することにより、針チューブ６０および両端針３０を後方（図１〜４の右方向）に付勢している。可撓性部材４２は、針チューブ６０上のフランジ６２と係合して、針チューブをバネ３８の後方への偏倚に対して突出位置に保持する端部４３を有している。
【００１５】
針３０および針チューブ６０の格納は、始動ボタン５０によって始動される。始動ボタン５０は、図１に示されるように、好ましくは周方向に針端部３２の斜切面の一直線上にある。ここで図２、３Ａおよび３Ｂを参照すると、始動ボタン５０は、可撓性部材４２を径方向外方に、あるいは図１〜４の透視でいうと下方に移動させるための横方向移動のために、針アセンブリ４０のバレル４１内の横方向長穴４９内に配置される。
【００１６】
ボタン５０は、鉛直方向に配設された側方部材５２、５４を含んでいる。始動前には、ボタン５０は、バレル４１の内部の縁に係合する少なくとも一方の側方部材５２、５４上の窪み５６によって非始動位置に保持されている。この位置において、可撓性部材４２は針チューブ６０上のフランジ６２と係合する。
【００１７】
始動ボタン５０が押し下げられると、下方への動きがボタン側方部材５２および５４を介して伝達されて、可撓性部材４２が径方向外方に移動され、これにより、可撓性部材４２の端部４３が針チューブ６０のフランジ６２から離脱し、結果として針チューブ６０および両端針３０がバネ３８に付勢されて後方に移動できるようになる。始動に続いて、ボタン５０は、単に横方向長穴４９の縁または端縁であってもよい、バレル４１の内部の前述の特徴要素に係合する窪み５８によって始動位置に保持することができる。
【００１８】
可撓性部材４２の端部４３とフランジ６２との間の係合状態を離脱させるためのボタン５０の始動に続いて、両端針３０を含む針チューブ６０は、格納位置まで後方に移動するが、この格納位置において、両端針３０の第１の針端部３２は、針アセンブリ４０のバレル４１によって与えられる筐体内に格納されており、すなわち、針３０は図４に示されるように筐体内に引き込まれている。
【００１９】
バレル４１の後方端部は、フランジ６２と係合して、コイルバネ３８に付勢されて針チューブ６０がさらに後方に移動するのを阻止するための、内部突出フランジまたは縁部４４を含む。バレル４１は、フランジまたは縁部４６内に第２の内部突出特徴要素をさらに含み、該特徴要素は止め縁部４４と協働して、針チューブ６０のフランジ６２に係合またはこれを捕捉することにより、針チューブ６０を確実に保持し、したがって両端針３０を格納位置に保持する。
【００２０】
したがって、フランジ６２は、両端針３０を該両端針が医療目的のために使用されうる針の伸長位置に保持するとともに、医療または他の従事者が偶発的に針に触れたり、針を突き刺してしまう危険の無い位置である針の格納位置に、両端針３０を保持する係合特徴要素である。このようにして、止め縁部４４は、針３０の後方への変位を制限する後方止め具として機能し、フランジ４６は、格納後の針の前方への変位を制限する前方止め具として機能する。
【００２１】
このように構成した場合、装置１０は以下のように作動する。両端針３０のそれぞれ前方および後方の針端部３２、３４を覆うように取り付けられた前方および後方保護キャップを有する針アセンブリ４０が、その無菌包装から取り出される。後方保護キャップ（図示せず）が外され、針アセンブリ４０が係合ねじ２８、２９によってチューブホルダ２０に螺着される。前方保護キャップ（図示せず）は、両端針３０の格納を防止するために始動ボタン５０を覆っている。
【００２２】
次に、前方保護キャップが外され、針３０の前方先端部３２が患者に挿入される。次に、真空チューブ８０などの流体回収容器が筐体２０の開端部２４内に挿入される。針の後方先端部３４は、真空チューブが両端針３０を介して前方先端部３２と流体連通するように、保護ブート６８および真空チューブ８０の再封止可能なプラグ８２を貫通する。
【００２３】
このようにして、流体は針３２から真空チューブ８０に流れる。真空チューブ８０が充満された後、真空チューブがチューブホルダ２０の開端部２４から取り外される。所望により、さらに流体を回収できるようにするために、別の真空チューブを挿入することもできる。
【００２４】
操作者が患者から十分な流体を回収し、最後の真空チューブ８０が取り外された後、針が患者から引き抜かれる。次に、操作者は始動ボタン５０を押し下げて、針３０を筐体４１に格納する。
【００２５】
コイルバネ３８は、針３０の先端部３２が流体回収装置１０の筐体４１内に封入されるように、両端針３０をバレル４１内に後方に推進する。その後、流体回収装置１０は安全に廃棄されることができるか、あるいは、針３０が格納された状態にある針アセンブリ４０は、チューブホルダ２０から慎重に取り外して廃棄されることができ、チューブホルダは新しい針アセンブリと共に再利用することができる。
【００２６】
ここで図５、６Ａおよび６Ｂを参照すると、代替の実施形態が示されている。装置１０’は図１〜４に図示し、上述した装置と類似している。上述の実施形態の対応する要素に類似する本装置の要素は、同一の参照番号に「’」を付けて示す。
【００２７】
装置１０’は、針の格納を始動するための始動ボタン５０’を含む。始動ボタン５０’は、図６Ａにおいては始動前、図６Ｂにおいては始動後のものが示されている。ボタン５０’は、弧状のボタン部分と、２つの側方部材５２’および５４’とを含み、好ましくは図１に示されるように、周方向に針端部３２の斜切面の一直線上にある。始動ボタン５０’は、横方向長穴４９’内に配置され、側方部材５２’および５４’の底端部を接続する底部部材５３’を含み、該底部部材５３’上に針チューブ６０のフランジ６２が直接当接して、両端針３０を使用時伸長位置に保持する。側方部材５２’および５４’内の窪み５６’は、始動ボタン５０’を図６Ａに示されるような非始動位置に保持するための移動止めを構成するバレル４１’の内部に接触する。
【００２８】
始動ボタン５０’が押し下げられると、ボタン５０’は、横方向長穴４９’内を図６Ｂに示される位置まで横方向に移動するが、この位置において、ボタン５０’は、バレル４１’の内側の縁に係合する窪み５８’によって保持されてもよい。ボタン５０’が始動位置にある状態において、底部部材５３’が針チューブ６０のフランジ６２から外方に変位され、これにより針チューブ６２を離脱させるとともに、針チューブ６０および該針チューブ６０に固着された両端針３０が、コイルバネ３８に付勢されて後方に移動できるようにする。針チューブ６０および両端針３０は、図１〜４に関して上述したのと同様にして、針の格納位置においてバレル４１’内に捕捉および保持される。
【００２９】
次に図７〜９を参照すると、別の代替実施形態が示されている。装置１１０は、図１〜６Ｂに図示し、上述した装置に類似している。上述の実施形態の対応する要素に類似する本装置の要素は、同一の参照番号に「１００’」を付加して示す。
【００３０】
装置１１０は、真空チューブ流体回収容器および針アセンブリ１４０を受容するように構成されたチューブホルダ１２０を含む。両端針１３０は、患者に穿孔を行うための鋭利な前方針端部１３２と、流体回収容器上の封止部に穿孔を行うための後方針端部１３４とを有する。針アセンブリ１４０は、チューブホルダ１２０の前部に着脱可能に接続されている。針アセンブリ１４０は、両端針１３１が通過する樽状筐体１４１を含んでいる。
【００３１】
針チューブ１６０は、針アセンブリ１４０のバレル１４１内に摺動可能に取り付けられており、その後方端部に針端部１３４を清潔かつ無菌状態に保つための可撓性のゴムまたはプラスチックブート１６８を有する。また、その前方端部において、針チューブ１６０は、針チューブ１６０を、したがって両端針１３０を前方または針の伸長位置に保持するための、始動ボタン１５０と解放可能な係合状態にあるフランジ１６２を有する。ボタン１５０は、図７に示されるように、好ましくは周方向に針端部１３２の斜切面の一直線上にある。
【００３２】
針チューブ１６０は可撓性部材１６４をさらに含み、この可撓性部材１６４は、該部材から外方に突出した凸部１６５を有している。可撓性部材１６４は、たとえば、針チューブ１６０の後方部分に向かう「Ｕ」字の開端部を有する、針チューブ１６０内の「Ｕ」字形長穴によって形成してもよい。
【００３３】
コイルバネ１３８は、針１３０が針伸長位置にあって、針アセンブリ１４０の前方部分および針チューブ１６０の穴１６６の底部に当接しているときには圧縮されており、針チューブ１６０および該チューブに固着された両端針１３０を後方向に付勢する。
【００３４】
針アセンブリ１４０のバレル１４１は、外部横方向溝部１４９、１４９’を含み、該溝部１４９、１４９’に始動ボタン１５０の弧状側面１５２、１５２’が挿入される。このように組み立てられた場合、ボタン１５０は、針チューブ１６０および針１３０を針伸長位置に保持するために、針チューブ１６０のフランジ１６２に係合する。
【００３５】
図８Ａ〜８Ｂは、それぞれ掛止位置および解放位置に有る始動ボタン１５０を示す図７の実施形態の断面図である。始動ボタンは、押し下げられるための弧状ボタン部分１５０と、該弧状ボタン部分１５０に接合されて、バレル１４１の外部横方向溝部１４９、１４９’に跨る馬蹄形部品を構成する２つの弧状側方部材１５２および１５２とを含んでいる。
【００３６】
ボタン１５０は、弧状側方部材１５２および１５２’とともに、バレル１４１の外部溝部１４９、１４９’間の寸法よりも接近して成形されており、その結果、ボタン１５１がバレル１４１を越えて挿入された場合に、弧状側方部材１５２および１５２’が内方に押さわり、ボタン１５０を、肩部または端縁部１５４、１５４’がそれぞれバレル１４１の肩部１４８、１４８’に押しつけられた状態で、バレル１４１上に保持する。
【００３７】
両端針１３０がその針伸長位置にある、この係止された構成において、弧状側方部材１５２、１５２’の肩部１５６、１５６’はそれぞれ、針チューブ１６０のフランジ１６２に係合する。すなわち、肩部１５６、１５６’は、フランジ１６２と解放可能な係合状態になり、これにより、針チューブ１６０および両端針１３０を針伸長位置に保持する。
【００３８】
始動ボタン１５０を押し下げることにより、針チューブ１６０および針１３０が解放され、バネ１３８が針を格納する。針の格納を始動するために始動ボタン１５０が押さえられると、ボタン１５０は、バレル１４１上を下方に、溝部１４９、１４９’に沿って押し下げまたは始動位置まで移動する。ボタン１５０の押し下げ後、弧状側方部材１５２および１５２’は、肩部１５６、１５６’が針チューブ１６０のフランジ１６２に接触しないように、針チューブ１６０の実質的に同心円上に配置され、これにより、針チューブ１６０がコイルバネ１３８に付勢されて後方に推進されることを可能にする。
【００３９】
可撓性部材１６４上の凸部１６５は、先細にされている。したがって、格納の間、凸部１６５がフランジ１４４に係合している場合には可撓性部材１６４は内方に偏倚し、針チューブが後方に引き込まれ続けることを可能にする。
【００４０】
図９に示されるように、針チューブ１６０および両端針１３０が針格納位置に達したとき、針チューブ１６０のフランジ１６２は、針チューブ１６０の後方移動を止めるバレル１４１の内方に突出したフランジまたは縁部１４４に当接するようになる。凸部１６５は、フランジ１４４の後方端縁部に係合し、これにより両端針１３０の再伸長を防止している。したがって、針チューブ１６０および両端針１３０が、フランジ１６２の係合によって捕捉、すなわち針格納位置確実に保持される。フランジ１６２の係合は、針アセンブリ１４０のフランジ１４４と可撓性部材１６４の係合特徴要素１６５と同一の、両端針１３０を針伸長位置に保持する係合特徴要素である。
【００４１】
ここで図１〜１２を参照すると、さらに別の代替実施形態が示されている。装置２１０は、好ましい実施形態であり、図１〜９に図示し、上述した実施形態と類似している。したがって、上述の実施形態の対応する要素に類似する本装置の要素は、同一の参照番号に「２００’」を付加して示す。
【００４２】
装置２１０は、チューブホルダ２２０にねじ接続された針アセンブリ２４０を含む。針アセンブリ２４０は筐体バレル２４１を含み、該筐体バレル２４１内において、両端針２３０が摺動可能に取り付けられ、前方針端部２３２が筐体バレル２４１から突出する前方または針伸長位置と、前方針端部２３２がバレル２４１内に封入される後方または針格納位置との間で作動可能である。
【００４３】
両端針２３０は、接合部分２６１を介して適用された接着剤などによって、あるいは圧入または挿入成形によって針チューブ２６０内に固定的に取り付けられる。コイルバネ２３８は、針チューブ２６０および両端針２３０を後方格納針位置に偏倚させる。
【００４４】
針伸長位置において、両端針２３０はコイルバネ２３８による後方または針格納位置への推進が阻止されている。これは、針チューブ２６０の係合部材２６２がバレル２４１の係合特徴要素２４３と解放可能な係合状態にあるからである。
【００４５】
図１０に示されるように、可撓性部材の係合特徴要素２６２は、移動止めまたはボタンであり、係合特徴要素２４３はバレル２４１内の穴２４９のリムである。ボタン２６２は、その後方端縁部２６３にバレル２４１の穴２４９のリム２４３と係合する肩部を有する。可撓性部材２６４は径方向に変形可能であり、その結果、ボタン２６２は筐体バレル２４１およびその係合特徴要素２４３に関して径方向に変位可能である。ボタン２６２は、図１０に示されるように、好ましくは周方向に針端部２３２の斜切面の一直線上にある。
【００４６】
針２３０の格納を始動するために、始動ボタン２６２が押し下げられ、ボタンをバレル２４１内部に変位させて、針２３０と針チューブ２６０の係合特徴要素２６３をバレル２４１の係合特徴要素２４３から切り離す。このように解放されると、コイルバネ２３８が針チューブ２６０および該チューブ内に固着された針２３０を針格納位置まで後方に推進する。ボタン２６２は、好ましくは針２３０が不意に引き込まれる可能性を低減するために、バレル２４１の表面下に入り込められる。
【００４７】
図１１Ａおよび１１Ｂはそれぞれ、係止および非係止位置にある係合部材および始動ボタン２６２を示した図１０の実施形態の断面図である。針チューブ２６０の円形断面は、穴２４９を含むバレル２４１の円形の内部に配置される。可撓性部材２６４は、係止位置においてボタン２６２が偏倚されてバレル２４１内の穴のリム２４３と係合するように、径方向外方に偏倚される弾性アームである。
【００４８】
図１１Ａに示した特定の位置は、実質的に可撓性部材２６４の緩和位置である。この位置において、ボタン２６２の後方端部２６３は、バレル２４１のリム２４３て係合する。ボタン２６２を押し下げることにより、ボタンを穴２４９との係合状態から離脱させ、図１１Ｂに示されるように、ボタンは完全にバレル２４１の内部まで変位する。このようにして、ボタン２６２を押し下げることにより、肩部２６３をバレル２４１内の穴２４９のリム２４３から切り離し、針２３０および針チューブ２６０が、バネ２３８に付勢されて、針２３０が後述のように針格納位置に至るまで移動できるようにする。
【００４９】
図１２において、両端針２３０は、前方針端部２３２が筐体バレル２４１内にある針格納位置にある。針チューブ２６０内に固定された両端針２３０は、ボタン２６２の前方端部２６５とバレル２４１上の周方向フランジまたは縁部２４４との間の係合によって、格納針位置に保持されている。このように係合されているため、針２３０が容易に再伸長したり針伸長位置に戻ったりすることが防がれる。
【００５０】
コイルバネ２３８に付勢されて格納針位置に移動する際、ボタン２６２は縁部２４４の傾斜を付けた前方肩部２４５と係合し、該前方肩部２４５は、アーム２６４を径方向内方に曲げることによりボタン２６２を径方向内方に変位させるので、ボタン２６２は縁部２４４によって形成された制限開口部を通過することができる。ボタン２６２が縁部２４４を越えて後方に通過すると、曲げられたアーム２６４が径方向外方に反動することにより、前方端部２６５が縁部２４４の後方肩部に係合するようにボタン２６２を径方向外方に変位させる。このようにして、ボタン２６２と縁部との間の係合は、針が格納後に再伸長するのを防止する止め具として機能する。
【００５１】
針チューブ２６０の後方への移動は、縁部２４４の前方肩部２４５に係合する周方向フランジ２６６によって制限または停止される。その結果、針チューブ２６０および該チューブに収容される針２３０は、筐体バレル２４１の縁部２４４と係合した状態でフランジ２６６およびボタン２６２によって格納針位置に保持される。
【００５２】
針チューブ２６２をバレル２４１内に組み付けるためには、バレル２４１は、針チューブ２６０を該バレル２４１内に挿入した後に、接着によって互いに固着される２つの部分として作製することができる。あるいは、針チューブ２６０は周方向フランジ２６３内に間隙を有するように構成することもでき、またバレル２４１はフランジ２４４内の間隙に対応する間隙を作製して、所定の向きに保持された場合に、フランジ２６３内の該間隙が縁部２４４のセグメントと一直線上に並び、縁部２４４内の間隙がフランジ２６３内のセグメントと一直線上に並んで、針チューブ２６０がバレル２４１の内側に滑り込むようにすることもできる。
【００５３】
これに代えて、そして好ましくは、針チューブ上のフランジ２６６の前方端縁部には丸みを付け、フランジの後方端縁部は略正方形にする。組み付けの間、針チューブ２６０はバレル２４１に圧入され、フランジがバレル２４１の制限されたフランジ２４４と係合している時にはフランジ２６６を弾力的に圧縮する。フランジ２６６の丸みを付けた端縁部は、針チューブフランジ２６６の圧縮を容易にする。針チューブフランジ２６６がバレルフランジ２４１の前方に軸方向変位された後、針チューブフランジは径方向外方に弾力的に跳ね返り、針チューブフランジの直径がバレルフランジ２４１によって形成される収縮された開口部よりも大きくなる。
【００５４】
チューブホルダ２２０、後方針端部２４４、および可撓性ブート２６８は、たとえば図１〜７に関して上述したものと類似している。
【００５５】
前出のどの実施形態においても、両端針３０、１３０、２３０は、好ましくはステンレス鋼から製造され、筐体バレル４１、１４１、２４１は、好ましくはポリプロピレンまたはポリカーボネートから製造され、針チューブ６０、１６０、２６０は、好ましくはポリカーボネートまたはアクリルから製造され、真空チューブホルダ２０、１２０、２２０は、好ましくはポリプロピレンまたはポリエチレンから製造され、可撓性ブート６８、１６８、２６８は、好ましくは弾性材料、たとえばイソプレンゴムまたはシリコンまたはサントプレン合成ゴムから製造され、始動ボタン５０、１５０は、好ましくはポリカーボネートから製造される。
【００５６】
したがって、流体回収装置１０、１１０、２１０は、流体回収容器８０とともに作動可能なものとして説明してきた。
【００５７】
流体回収装置は、筐体４１、１４１、２４１と、第１および第２の針端部３２、１３２、２３２、３４、１３４、２３４を有する両端針３０、１３０、２３０とを含み、該両端針は、両端針３２、１３２、２３２の第１の針端部が筐体４１、１４１、２４１から突出する伸長針位置と、第１の針端部３２、１３２、２３２が筐体４１、１４１、２４１内に封入されている格納針位置との間で作動可能である。両端針３０、１３０、２３０は、その外面に第１の係合部材６２、１６２、２６２をさらに含み、コイルバネ３８、１３８、２３８などの偏倚要素によって格納針位置に向けて偏倚される。
【００５８】
第２の係合部材４２、５３’、１５０、２４３は、針３０、１３０、２３０が伸長針位置にあるとき、両端針３０、１３０、２３０に付随する第１の係合特徴要素６２、１６２、２６２に解放可能に係合している。第１および第２の係合部材６２、１６２、２６２、４２、５３’、１５０、２４３のうちのいずれか一方が、解放可能に係合するように、第１および第２の係合部材６２、１６２、２６２、４２、５３’、１５０、２４３のうちのいずれか他方に関して移動可能であり、これにより、両端針３０、１３０、２３０が伸長針位置から格納針位置に移動するように作動させる。
【００５９】
筐体４１、１４１、２４１上の記号特徴要素４４、４６、４８、１４４、１６４、１６５、２４４は、両端針３０、１３０、２３０が格納位置にあるとき、両端針３０、１３０、２３０の第１の係合部材６２、１６２、２６２と係合し、これにより、両端針３０、１３０、２３０は筐体４１、１４１、２４１内の格納針位置内に保持される。
【００６０】
さらに、流体回収装置１０、１１０は、流体回収容器８０とともに作動可能であるものとして説明してきた。
【００６１】
流体回収装置は、筐体４１、１４１と、第１および第２の針端部３２、１３２、３４、１３４を有する両端針３０、１３０とを含み、該両端針は、両端針３２、１３２の第１の針端部が筐体４１、１４１から突出する伸長針位置と、第１の針端部３２、１３２が筐体４１、１４１内に封入されている格納針位置との間で作動可能である。
【００６２】
両端針３０、１３０は、その外面に第１の係合特徴要素６２、１６２をさらに含み、コイルバネ３８、１３８などの偏倚要素によって格納針位置に向けて偏倚される。両端針３０、１３０に関して移動可能な係合部材４２、５３’、１５０は、針が伸長位置にあるとき、両端針３０、１３０の係合特徴要素６２、１６２に解放可能に係合しており、両端針３０、１３０を伸長針位置から格納針位置に移動させるように移動可能である。
【００６３】
筐体４１、１４１は、両端針３０、１３０が格納針位置にあるときに両端針３０、１３０の係合特徴要素６２、１６２に係合するための手段４４、４６、４８、１４４、１６４、１６５をさらに含み、これにより、両端針３０、１３０は筐体４１、１４１内の格納針位置に保持される。
【００６４】
さらに別の代替実施形態が図１３Ａおよび１３Ｂに示されている。装置３１０は、一対の翼部３７０、３７４を含み、図７〜９に図示し、上述した装置と類似している。したがって、図７〜９に示した装置の要素と類似する装置３１０内の要素は、同一の参照番号に「３００’」を付加して示す。
【００６５】
バタフライ翼部３７０および３７４は、バレル３４１から外方に延び、針３３０が患者に挿入された後に流体回収装置３１０を定位置に固定するために、患者の体にテープで留めるのに適するように概ね平面である。患者に快適さのために翼部３７０および３７４と針アセンブリ３４０のバレル３４１との間にさらなる柔軟性を与えるために、翼部３７０は狭窄部３７２を含み、翼部３７４は狭窄部３７６を含む。
【００６６】
狭窄部３７２および３７６は、活発なヒンジ（ｌｉｖｉｎｇ  ｈｉｎｇｅ）として作用し、翼部３７０、３７４は該狭窄部周りに枢動可能である。翼部３７０および３７４は、好ましくは実質的に同一平面上にあり、それらの外面の接線の位置において針アセンブリ３４０に固着されている。好ましくは、翼部３７０および３７４は、バレル３４１と一体成形されている。
【００６７】
好ましくは後方針端部３３４は鈍く、針チューブ３６０の後方筒状嵌合３６７から延長している。この嵌合３６７は、摩擦または接着剤によって針チューブ３６０の嵌合３６７の上方に延び、該嵌合に保持されるプラスチックチューブ３８０などの流体誘導装置と接続されるように構成されている。
【００６８】
あるいは、針チューブ３８０の嵌合３６７は、チューブ３８０の端部において雌ルア嵌合（ｆｅｍａｌｅ  ｌｕｅｒ  ｆｉｔｔｉｎｇ）または他の標準的な医療装置嵌合を受容するのに適したアダプタを有していてもよい。あるいは、鈍い針端部３３４は、針３３０を介してその中身を患者に注射しようとするバイアルと流体連通するように構成することもできる。これらの特徴は、本明細書中に記載するどの実施形態に適用されてもよい。
【００６９】
さらに他の代替実施形態が図１４Ａ〜１６に示されている。装置４１０は、翼部４７０、４７４を取り入れており、図１０〜１２に示した実施形態と類似している。したがって、図１０〜１２に図示した装置４１０の要素と類似した装置４１０の要素は、同一の参照番号に「４００’」を付加して示す。
【００７０】
バタフライ翼部４７０および４７４は、バレル４４１から外方に延び、針４３０が患者に挿入された後に患者の体にテープで留めるのに適するように概ね平面である。患者に快適さのために翼部４７０および４７４とバレル４４１との間にさらなる柔軟性を与えるために、翼部４７０および４７４はそれぞれ狭窄部４７２および４７６を含む。
【００７１】
狭窄部４７２および４７６は、活発なヒンジとして作用し、翼部４２０、４７４は該狭窄部周りに枢動可能である。翼部４７０および４７４は、好ましくは実質的に同一平面上にあり、バレル４４１を「Ｄ」字部材４９０の通路４９４に挿入することにより、それらの外面の接線の位置において針アセンブリ４４０に固着されている。
【００７２】
部材４９０は、それぞれバレル４４１およびループ４９０内の対応する凸部と凹部４９２によって定位置に保持される。あるいは、部材４９０は、接着剤または摩擦嵌合によってバレル４４１に接続することもできる。
【００７３】
図１４Ａおよび１４Ｂにおいて、図１３Ａおよび１３Ｂに示されるように、後方針端部４３４は鈍く、プラスチックチューブ４８０などの流体誘導装置と接続されるように適応された針チューブ４６０の後方筒状嵌合４６７から延びている。
【００７４】
図１５において、針４３０は、針チューブ４６０の端部において軸方向に挿入された接着剤によって針チューブ４６０に固定されている。あるいは、針４３０は、摩擦嵌合または挿入成形によって針チューブ２６０に取り付けることも可能である。
【００７５】
図１６において、装置４１０がビニルチュービング４８０の全長およびチューブホルダ４２０と組み合わせて示されている。チュービング４８０の第１の端部は、一方端部において針チューブ４６０上の嵌合４６７に接続されている。好ましくは、雌ルア嵌合４８２はチュービング４８０の第２の端部に取り付けられる。雌ルア嵌合４８２は、チューブホルダ４２０に螺合する雄ルア嵌合４８４と協働する。真空チューブ上の封止部を穿孔するための後方針４８６が雄ルア嵌合４８４に接続される。このようにして、後方針は針４３０と流体連通する。
【００７６】
ここで図１７〜２２を参照すると、代替の流体移送装置５１０が示されている。装置５１０は、装置の前方端部に取り付けられた固定カテーテル５９０を取り入れている。装置５１０は患者から流体を引き抜くか、あるいは流体を患者に注射するかのいずれかのために操作できる。
【００７７】
装置５１０は、針保持具によって、バレル５４０から前方に突出した格納位置に解放可能に保持された格納可能な針５３０を含む。本例において、針５３０の後方端部に取り付けられた針チューブ５６０は、針チューブから径方向外方に延びるアームを含む。アームの端部に一体的に形成されたボタン５６２は、バレル５４０の側面の開口部に係合して、針チューブ５６０および取り付けられた針５３０を伸長位置に保持する。
【００７８】
ボタン５６２を押し下げることにより、ボタンは開口部から離脱され、針チューブが解放されて、バネ５３８が針５３０を筐体内に後方に推進する。バネ５３８は、針５３０の周りに配設されたコイルバネである。本例において、バネ５３８はバレル５４０の先端部の前方端部と針チューブ５６０の後方端部との間に延びる。
【００７９】
バレル５４０の前方部分は縮径先端部を構成し、該先端部に翼アセンブリ５７０が取り付けられる。翼アセンブリ５７０は、ポリウレタン、ＰＶＣ、または、アドバンスド・エラストマー・システム（Ａｄｖａｎｃｅｄ  Ｅｌａｓｔｏｍｅｒ  Ｓｙｓｔｅｍ）製のＳＡＮＴＯＰＲＥＮＥなどの熱可塑性エラストマーなどの弾性材料から製造される。翼アセンブリ５７０は、本体５７５と、本体を横切って延びる一対の略平行な翼部とを含む。翼本体５７５は、バレル５４０の先端部の外面と協働する穴を有する中空状である。環状の凸部５７８が翼本体５７５の穴の内方に突出する。凸部５７８は、バレル先端部の前方端部の前方に配設され、以下に論じる封止部として機能する。
【００８０】
翼本体５７５の前方部分は、可撓性カテーテル５９０を受容するための凹所またはソケット５７７を有する縮径先端部を構成する。カテーテル５９０は、エポキシによってソケット５７７内に永久的に固定されている。
【００８１】
伸長位置において、針５３０は、針の鋭利な先端部がカテーテルの前方端部から突出するように、バレル５４０からカテーテル５９０を通して前方に延びる。
【００８２】
装置は以下のようにして動作する。鋭利な先端部が患者の静脈内に挿入されることにより、カテーテル５９０を患者の静脈内に挿入する。一旦針が挿入されると、針５３０を筐体内に格納するために、ボタン５６２が押し下げられる。前述の実施形態の場合と同様に、装置５１０は前方および後方針止め具を含む。バレル５４０の後方端部は、針チューブ５６０上の外部フランジ５６６と協働して、バネが針をバレルの外に推進するのを防止する、内部フランジ５４４を含む。バレル上の内部フランジ５４４は、ボタン５６２の前方端部とも協働して、針５３０が格納後に再度伸長するのを防止する。
【００８３】
針の格納後、カテーテル５９０と針５３０との間に流体密な封止部を提供するために、好ましくは封止部が設けられる。本例においては、格納位置において、翼部５７８の内部凸部が針５３０に係合することにより、針とカテーテルとの間に封止部を設ける。図２０に見られるように、封止部５７８は、針が伸長位置にあるときに針にも係合し、その結果、封止部は針との摺動封止部を形成し、格納の前および最中における流体密な封止部を維持する。
【００８４】
針が格納された後、装置５１０を定位置に保持するために翼部５７１、５７２が患者にテープで留められる。その後、流体が患者から可撓性チューブ５８０に向けて後方に抜き取られるか、あるいは、流体が可撓性チューブから患者に注射される。
【００８５】
図２３〜２６には、代替のカテーテル担持流体位相装置６１０が示されている。代替のカテーテル担持装置は、前述の実施形態と同様に構成されており、同様に機能する。したがって、前述のカテーテル装置５１０のものと同様の要素は、同様の参照番号に「６００’」を付加して示す。
【００８６】
装置６１０は、バレル６４０から前方に突出する格納可能な針を含み、バレルの前方端部に取り付けられたカテーテル６９０を通過する。本実施形態において、翼アセンブリ６７０の本体６７５は、バレル６４０の先端部の前方端部が翼本体６７５の前方端部から突出するように、短縮されている。カテーテル６９０はバレルの先端部に接合されている。
【００８７】
図２０に示されるように、バレル６４０の先端部の内部に独立した封止部６７８が配設されている。封止部６７８は、Ｏリングなどの環状の封止部であり、針が格納された後に針６３０とカテーテル６９０との間の流体密な封止部を提供する。針保持具および格納の始動は、前方および後方針止め具も含めて、上述の保持および格納と同様である。
【００８８】
本発明は上述の例示的実施形態に関して説明してきたが、請求の範囲によって定義された本発明の範囲および精神の範囲内での変形が、当業者にとっては明らかであろう。たとえば、針チューブ６０、１６０のフランジ６２、１６２などの突出係合特徴要素は、陥入した係合特徴要素、たとえば、穴または溝にに置き換えることもでき、同時に、これに係合する部材に対しても対応する変更が行われ、たとえば、溝４８はフランジあるいはタブまたはボスとなり、フランジ６２、１６２の代わりのそれぞれ穴または溝に嵌合する。
【００８９】
針３０、１３０、２３０のための担体として機能する針チューブ６０、１６０、２６０の形状および形態を変形することもできる。組立てを容易にするために、実質的に１８０度離れたフランジ６２の一方部分と、フランジ６４の他方部分とを有するように、針チューブ６０に対称性を与え、これにより針チューブ６０が針アセンブリ４０のバレル４１にいずれかの向きで挿入されるようにしてもよい。
【００９０】
同様に、針チューブ１６０は、針チューブ１６０上に１８０度離れた係合特徴要素１６５を備える可撓性アーム１６４を有し、針チューブ１６０が止めフランジ１４４に係合する格納位置に捕捉されているときに、該可撓性アーム１６４が二重把持作用を与えるようにすることもできる。同様に、可撓性アーム１６４は、突出した係合特徴要素１６５ではなく、バレル１４１上のフランジ１４４に代わるフランジまたはボスに係合する突出した係合特徴に係合する、穴や溝などの陥入した係合特徴要素を有することもできる。
【００９１】
前述の例示的実施形態は、針チューブ６０、１６０内に取り付けられた両端針３０、１３０に関して説明してきたが、両端針３０、１３０がその外表面にフランジまたはねじ山または肩部などの係合特徴要素を、一体的に形成されるか、あるいは該表面に接合されるかのいずれかにより含み、筐体４１、１４１上の係合特徴要素と係合するようにしても、同等に十分に機能する。
【００９２】
針チューブ６０、１６０を針アセンブリ４０、１４０に挿入するために、針チューブ６０、１６０を、係合特徴要素６２が曲げられてバレル４１、１４１への挿入を可能にするように十分な可撓性を有するように構成するようにしてもよいし、あるいは、針チューブ６０、１６０上およびバレル４１、１４１上の係合特徴要素を、一方の溝と他方の特徴要素との間に対応性を持たせて分断し、特定の向きにおいて、針チューブ６０、１６０がバレル４０、１４１に挿入されるようにしてもよい。
【００９３】
ここで図２７〜３２を参照すると、流体回収装置８１０のさらに他の実施形態が示されている。装置８１０は、バレル８２０から前方に突出する前方針８３０を含む。前方針８３０は、血液などの流体を患者から回収するために患者に挿入される。使用後、前方針８３０は、前方針の鋭利な先端部が装置８１０内に封入されるように、後方に格納される。
【００９４】
流体回収装置８１０は、中空の略円筒形のバレルまたは筐体８２０を含む。バレル８２４の後方端部は概ね開口していて、真空チューブ８８０などの流体回収容器を受容するためのソケットを形成している。開端部８２４に隣接する周方向フランジ８２２は、使用者のための指把持領域を提供する。バレル８２０の前方端部８２６は概ね閉じており、縮径開口部を有している。好ましくは、前方端部８２６にある開口部は、以下でさらに論じる針アセンブリ８４０に螺合する雌ねじ８２７を有する。
【００９５】
針アセンブリ８４０は、前方針８３０をバレル８２０から前方に突出する伸長位置に解放可能に保持する。針アセンブリ８４０は前方針８３０と、後方針８３５とを含む。筒状導管８６０は、前方針と後方針との間が流体連通するように、前方針８３０と後方針８３５との間に延びる。図２７に示されるように、好ましくは導管８６０の後方端部は概ね閉じており、後方針８３５が内部を通過する縮径開口部を有する。好ましくは、後方針８３５は、導管８６０の後方開口部内に固定的に保持されている。
【００９６】
針アセンブリ８４０は、導管８６０の前方端部に接続された略円筒形の先端部８４２をさらに含む。先端部８４２の後方端部は概ね開口しており、先端部８４２の前方端部は概ね閉じており、前方針８３０が内部を通過する縮径開口部を形成している。図２９に最もよく示されているように、導管８６０の前方端部は、導管が円筒形の先端部の内部穴と係合するように、円筒形先端部８４２の後方端部に挿入される。
【００９７】
前方針８３５は、伸長位置と格納位置との間で作動可能である。針アセンブリ８４０は、前方針８３０の周囲に配設され、前方針に接続されるバネ８４５を含む。バネ８４５は、前方針８３０を格納位置に向けて後方に偏倚させる。ラッチ８５０は、前方針を伸長位置に開放可能に保持するために、バス８４５と係合する。ラッチ８５０は、前方針が通過する開口８５２を含む。
【００９８】
図３０に示されるように、開口８５２は前方針８３０およびバネ８４５に対して偏心しており、掛止位置においてバネがラッチに当接する。このようにして、ラッチ８５０は後方への推進に対して前方針８３０を保持する。上述のように、バネは掛止位置においてラッチ８５０と係合する。あるいは、前方針８３０は、ラッチに係合する、針に接合された周方向フランジまたはブロックを含んでいてもよい。
【００９９】
始動ボタン８５５はラッチ８５０に接続される。始動ボタンの押し下げにより、開口８５２がバネ８４５の一直線上にくる非錠止位置まで、ラッチが変位する。この非錠止位置において、バネ８４５は開口８５２を通過し、バネが前方針８３０を格納位置まで後方に推進する。図２８に示されるように、前方針８３０は導管８６０内に格納される。
【０１００】
好ましくは、針アセンブリ８４０はバレル８２０に解放可能に接続されることができる。本例においては、導管８６０は、バレルの前方端部８２６にある雌ねじ８２７に嵌り合う雄ねじ８６２を含む。このようにして、流体の回収後、格納された前方針８３０と共に針アセンブリ８４０全体をバレル８２０から取り外すことができる。その後、バレル８２０は新しい針アセンブリ８４０とともに使用することができる。
【０１０１】
装置８１０には、好ましくは残存した流体が格納の最中に前方針８３０から流出するのを防止するための部材が組み込まれている。針８３０の後方部分は、導管８６０の前方部分に延びる。プラグ支持部材８９０は、前方針８３０上の導管８６０内に配置され、プラグ８９２を針の後方端部と軸方向に整列するように保持する。
【０１０２】
前方針８３０が格納されると、前方針の開いた後方端部がプラグと当接するように駆動され、針の後方端部を封止する。その後、前方針８３０、プラグ８９２、および支持部材８９０は一緒に導管内に格納される。前方針が後方に移動するとき、プラグは前方針の端部の後方に残り、後方に加速されている針の後方部分において部分的な真空状態を与える。したがって、残存した流体が前方針内に保持される。
【０１０３】
ここで図３１について説明すると、プラグ８９２およびプラグ支持部材８９０は、好ましくは弾性材料から一体的に形成されている。プラグ支持部材８９０は、好ましくはその外部に、導管８６０の外面に相補的に係合する腰部８９０を有する。さらにプラグ支持部材は、その内部に形成され、装置８１０の組立の最中に前方針８３０の後方部分を受容し、保持するための軸方向空洞を有している。
【０１０４】
図３２に見られるように、プラグ８９２は、プラグ支持部材８９０の後方部分を構成するウェブ８９５によって支持されている。ウェブ８９５は、その内部に形成された開口部８９３を含み、プラグ支持部材８９０の後方部分を通過する流体流路を与える。針が格納されると、針はプラグ８９２と係合するように推進される。腰部８９４は、針がプラグに係合するまで、前方針８３０がプラグ支持部材８９０に関して移動するような十分な保持力を与える。前方針がプラグに係合した後は、針の連続的な後方移動により、支持部材８９０が導管から離脱し、針、プラグおよび支持部材は一緒に後方へ移動する。
【０１０５】
このように構成された場合、装置８１０は以下のようにして作動する。前方針８３０が患者に挿入される。次に、真空チューブ８８０などの流体回収容器が、バレル８２０の解放端部８２４に挿入される。真空チューブが解放可能なプラグ８８２によって封止される。後方針８３５が真空チューブ８８０の解放可能なプラグ８８２を貫通し、真空チューブが前方針８３０と流体連通するようにする。このようにして、流体が針８３０から真空チューブ内に流れ込む。真空中部が充満された後、真空チューブがバレル８２０の開放端部８２４から取り外される。所望により、流体をさらに回収するために他の真空チューブを挿入することもできる。
【０１０６】
操作者が患者から十分な流体を回収した後、前方針８３０が患者から引き抜かれる。次に、使用者は始動ボタン８５５を押し下げて針を格納する。バネ８４５は前方針を後方に導管８６０内に推進し、針の鋭利な先端部が装置８１０内に封入されるようにする。装置８１０は、この後安全に廃棄することもできるし、あるいは、格納前方針８３０を備えた針アセンブリ８４０をバレル８２０から取り外し、バレルを新しい針アセンブリとともに使用することもできる。
【０１０７】
使用した用語および表現は、限定のためではなく説明のための言葉として使用されている。そのような用語および表現の使用において、示され、記述された特徴のあらゆる均等物およびその部分を排除する意図は一切ない、しかしながら、本発明の範囲および精神内において様々な変更が可能であることが理解される。たとえば、導管８６０および先端部８４２はバレル８２０と一体成形することができる。
【図面の簡単な説明】
【図１】  格納可能な針を有する流体移送装置の断面図であって、伸長位置にある針を示す図である。
【図２】  図１に示した装置の拡大部分断面図である。
【図３Ａ】  図２に示した装置の線３−３に沿った断面図である。
【図３Ｂ】  図３Ａに示した装置の断面図であって、針の格納の始動後の装置を示す図である。
【図４】  図１に示した装置の断面図であって、針の格納の始動後の装置を示す図である。
【図５】  格納可能な針を有する流体移送装置の代替実施形態の断面図である。
【図６Ａ】  図５に示した装置の線６−６に沿った断面図である。
【図６Ｂ】  図６Ａに示した装置の断面図であって、針の格納の始動後の装置を示す図である。
【図７】    格納可能な針を有する流体移送装置の別の代替実施形態の断面図である。
【図８Ａ】  図７に示した装置の線８−８に沿った断面図である。
【図８Ｂ】  図８Ａに示した装置の断面図であって、針の格納の始動後の装置を示す図である。
【図９】  図７に示した装置の断面図であって、針の格納の始動後の装置を示す図である。
【図１０】  格納可能な針を有する流体移送装置の好ましい実施形態の断面図である。
【図１１Ａ】  図１０に示した装置の線１１−１１に沿った断面図である。
【図１１Ｂ】  図１１Ａに示した装置の断面図であって、針の格納の始動後の装置を示す図である。
【図１２】  図１０に示した装置の断面図であって、針の格納の始動後の装置を示す図である。
【図１３Ａ】  翼部を有する流体移送装置の断面図である。
【図１３Ｂ】  図１３Ａに示した装置の前面図である。
【図１４Ａ】  翼部を有する流体移送装置の代替実施形態の断面図である。
【図１４Ｂ】  図１４Ａに示した装置の前面図である。
【図１５】  図１４Ａに示した装置の断面図であって、針の格納の始動後の装置を示す図である。
【図１６】  図１４Ａに示した装置の側面立面図であって、チューブホルダとともに、部分断面を示した図である。
【図１７】  固定されたカテーテルを有する流体移送装置の部分断面を示す側面立面図である。
【図１８】  針が格納位置にある場合の、図１７に示した装置の拡大部分断面図である。
【図１９】  図１７に示した装置の拡大部分側面立面図である。
【図２０】  図１７に示した装置の拡大部分断面図である。
【図２１】  図１７に示した装置の拡大部分斜視図である。
【図２２】  図１７に示した装置の断面の拡大部分斜視図である。
【図２３】  固定されたカテーテルを有する代替の流体移送装置の断面図である。
【図２４】  図２３に示した装置の斜視図である。
【図２５】  図２３に示した装置の断面の斜視図である。
【図２６】  図２３に示した装置の側面立面図である。
【図２７】  格納可能な挿入針を有する流体回収装置の、使用前に挿入針が前方に突出している状態での側面図である。
【図２８】  図２７に示した流体回収装置の側面立面図であって、使用後に格納された挿入針を示す図である。
【図２９】  図２７に示した流体回収装置の拡大部分図である。
【図３０】  図２９に示した流体回収装置の線３０−３０に沿った断面図である。
【図３１】  図２７に示した装置に対する流体排出防止機構を提供するためのプラグ支持部材の断面図である。
【図３２】  図３１のプラグ支持部材を、図３１の矢印３２−３２から見た背面立面図である。
【図１】
0004415121.tif 000002
【図２】
0004415121.tif 000003
【図３】
0004415121.tif 000004
【図４】
0004415121.tif 000005
【図５】
0004415121.tif 000006
【図６】
0004415121.tif 000007
【図７】
0004415121.tif 000008
【図８】
0004415121.tif 000009
【図９】
0004415121.tif 000010
【図１０】
0004415121.tif 000011
【図１１】
0004415121.tif 000012
【図１２】
0004415121.tif 000013
【図１３】
0004415121.tif 000014
【図１４】
0004415121.tif 000015
【図１５】
0004415121.tif 000016
【図１６】
0004415121.tif 000017
【図１７】
0004415121.tif 000018
【図１８】
0004415121.tif 000019
【図１９】
0004415121.tif 000020
【図２０】
0004415121.tif 000021
【図２１】
0004415121.tif 000022
【図２２】
0004415121.tif 000023
【図２３】
0004415121.tif 000024
【図２４】
0004415121.tif 000025
【図２５】
0004415121.tif 000026
【図２６】
0004415121.tif 000027
【図２７】
0004415121.tif 000028
【図２８】
0004415121.tif 000029
【図２９】
0004415121.tif 000030
【図３０】
0004415121.tif 000031
【図３１】
0004415121.tif 000032
【図３２】
0004415121.tif 000033